(57)【要約】【課題】簡単な操作で商品の購入が可能であって、顧客の意に反して情報が取得されたり決済されたりすることが防止できる自動販売機の電子決済システムを提供することを目的とする。【解決手段】自動販売機の利用者の携帯する電界通信端末が該利用者の人体を介して電子マネーの決済情報を通信することで商品の販売を行なう自動販売機の電子決済システムであって、自動販売機の商品選択ボタンに設けられた指紋センサで取得した指紋情報と予め電界通信端末に記憶された指紋情報を前記電界通信端末で照合し、両指紋情報が同一と判別したとき決済処理を実行する。【選択図】図１
2010108234.tif 000002
【特許請求の範囲】
【請求項１】
自動販売機の利用者の携帯する電界通信端末が該利用者の人体を介して電子マネーの決済情報を通信することで商品の販売を行なう自動販売機の電子決済システムであって、
前記自動販売機は、指紋センサを備えた商品選択ボタンを複数備えると共に、電界通信によって通信する電界通信装置と、電子マネーによる決済情報を取得する決済処理手段を備え、
前記電界通信端末は、電界通信によって通信する電界通信部と、前記利用者の指紋情報と電子マネーを記憶するメモリと、指紋を照合する指紋照合手段と、電子マネーの支払処理をする支払処理手段を備え、
前記電界通信端末は、前記指紋センサが取得した指紋情報を前記電界通信部により取得すると、該電界通信端末が記憶している前記利用者の指紋情報と、前記指紋センサが取得した指紋情報を照合し、両指紋情報が同一であると判別した時、前記支払処理手段が電子マネーの支払処理を実行し、
自動販売機は、前記決済処理手段が、前記電界通信端末より決済情報を取得すると、商品を提供することを特徴とする電子決済システム。
【発明の詳細な説明】
【技術分野】
【０００１】
電界通信による自動販売機の電子決済システムであって、特に電界通信端末を所持する自動販売機の利用者（顧客）の意に反して利用者の個人情報が取得されたり、決済されたりすることを防止する決済システムに関する。
【背景技術】
【０００２】
近年、電界通信によって人体を介して通信する技術を利用して、電子マネーを記憶した電界通信端末を顧客が所持することで、電子マネーカードを非接触ＩＣカード処理装置にかざすことなく商品選択ボタンを押すだけで商品を購入できる自動販売機の電子決済システムが提案されている。この電子決済システムでは顧客がカードをかざす作業が無いので商品の購入が簡単である。
【特許文献１】特開２００６−１７３９１３
【発明の開示】
【発明が解決しようとする課題】
【０００３】
しかし、特許文献１に開示された自動販売機の電子決済システムでは、電界通信端末を盗まれて決済されたり電界通信端末に記憶された情報を取得されたりする虞がある。また、電界通信端末自体を盗まれなくても、電界通信端末を所持する者が、悪意のある者に接触されて電界通信によって電界通信に記憶された情報を盗まれる虞がある。また、電界通信端末を所持しない他人が電界通信端末を所持する者に近接している時に、この他人が電界通信端末で決済可能な自動販売機の商品選択ボタンを押すと、誤って近接する他人の電界通信端末で決済してしまう虞がある。
【０００４】
このように、上記の従来の電界通信による電子決済システムでは、顧客の所有する電界通信端末に記憶された電子マネーや個人情報が顧客の意に反して取得されたり、利用されたりする虞があった。
【０００５】
本発明は、上述した問題に鑑み簡単な操作で商品の購入が可能であって、なおかつ電界通信端末を所持する自動販売機の利用者（顧客）の意に反して電界通信端末から情報が取得されたり決済されたりすることが防止できる自動販売機の電子決済システムを提供することを目的としている。
【課題を解決するための手段】
【０００６】
上述する課題を解決する為に本発明は、自動販売機の利用者の携帯する電界通信端末が該利用者の人体を介して電子マネーの決済情報を通信することで商品の販売を行なう自動販売機の電子決済システムであって、
前記自動販売機は、指紋センサを備えた商品選択ボタンを複数備えると共に、電界通信によって通信する電界通信装置と、電子マネーによる決済情報を取得する決済処理手段を備え、
前記電界通信端末は、電界通信によって通信する電界通信部と、前記利用者の指紋情報と電子マネーを記憶するメモリと、指紋を照合する指紋照合手段と、電子マネーの支払処理をする支払処理手段を備え、
前記電界通信端末は、前記指紋センサが取得した指紋情報を前記電界通信部により取得すると、該電界通信端末が記憶している前記利用者の指紋情報と、前記指紋センサが取得した指紋情報を照合し、両指紋情報が同一であると判別した時、前記支払処理手段が電子マネーの支払処理を実行し、
前記自動販売機は、前記決済処理手段が、前記電界通信端末より決済情報を取得すると、商品を提供する電子決済システムである。
【発明の効果】
【０００７】
本発明の電子決済システムによれば、電界通信端末を所有した顧客が指で商品選択ボタンを押すだけで、決済処理が完了して商品を販売するから、顧客が自動販売機で商品を購入する時の操作が簡単である。さらに、指紋の照合を電界通信端末側で行なうから、電界通信端末から顧客の指紋情報を外部へ送出しないので、顧客の指紋情報を外部から取得されない。また指紋情報が一致しないと支払い処理を実行しないから、電界通信端末に記憶された電子マネーが、勝手に取得されることも無い。よって顧客の意に反して電界通信端末に記憶された情報が取得されたり、決済されたりすることを防止することができる。
【発明を実施するための最良の形態】
【０００８】
以下、図１、２を参照しながら本発明の実施形態について説明する。
【０００９】
図１は、本発明の１実施例を示す本決済システムの概略構成図である。図中１は、顧客（自動販売機の利用者）Ａが所持する電界通信端末である。この電界通信端末１は、送信すべき情報に基づく電界を人体に誘起させると共に人体に誘起した電界を検出して情報を取得する電界通信部２を備える。また電界通信部２は、アンテナ９により人体に電界を誘起させるとともに、人体に誘起した電界を検出する。
【００１０】
なお、本実施例に示す電界通信は、直接電界通信端末を人体に接触させなくても人体を介して通信が可能であり、衣服のポケットの中に、電界通信端末２を入れた状態であっても人体を介して通信が可能である。
【００１１】
電界通信の技術については、例えば特開２００６−１７３９１３や、特開２００６−２２２５９６の技術を利用することが出来る。なお電界通信の技術自体は本発明の要部ではない為詳細な説明は省略する。
【００１２】
メモリ３には、顧客Ａの指紋情報５と電子マネー６が記憶されている。指紋情報５は、予め小売店等に設置された図示しない指紋センサによって、電界通信端末１を所持する顧客Ａから取得した指紋情報である。この指紋情報５は指紋のイメージ情報、あるいは特定の照合に必要な部分の指紋の情報である。
電子マネー６は、図示しない電子マネーチャージ装置によって電界通信端末１にチャージされるものである。
【００１３】
なお電界通信端末１は、携帯電話機に一体に設けても良く、このような構成とすると、電子マネーを携帯電話機の通信回線を介してチャージすることが可能になり、チャージが容易となる。
【００１４】
制御部４は、指紋照合手段７と支払処理手段８を備える。指紋照合手段７は、後述する商品購入時、顧客本人を確認する為に指紋の照合処理を行なう。また支払処理手段８は、電界通信端末１から電子マネーを支払う処理を行う。
【００１５】
図中１００は、自動販売機である。自動販売機１００は、硬貨処理装置１１、紙幣処理装置１２、非接触ＩＣカード処理装置１３、商品の放出装置１４、情報等を表示する表示部１６、スピーカ部１７を備えるとともに、商品を選択する商品選択ボタン１８を複数備えている。
【００１６】
各商品選択ボタン１８の中央には、指紋センサ１９がそれぞれ設けられている。このような商品選択ボタンとしたことで、自動販売機１００は、顧客が指紋センサ１９に指をあてて商品選択ボタン１８を押したときに、商品が選択されたことを検知すると共に、顧客の指紋情報を取得できる。
【００１７】
さらに、自動販売機１００は、電界通信端末１と顧客Ａの人体を介して通信する電界通信装置１５を備える。電界通信装置１５は、送信すべき情報に基づく電界を人体に誘起させると共に、人体に誘起した電界を検出して情報を取得する装置であって、アンテナ２０により人体へ電界を誘起させるとともに、人体に誘起した電界を検出する。
【００１８】
アンテナ２０は、矩形のマット状に形成された部材の中に、設けられており、自動販売機１００の正面の床面に敷いた状態で設置される。
【００１９】
また、自動販売機１００は、自動販売機全体を制御する制御部１０を備えている。また、制御部１０は、硬貨処理装置１１、紙幣処理装置１２、非接触ＩＣカード処理装置１３および、電界通信装置１５から決済情報（商品の代金）を取得（受領）する決済処理手段２１を備える。
【００２０】
このように構成された実施例の決済システムは、顧客Ａが指紋情報５と電子マネー６を記憶した電界通信端末１を所持した状態で、自動販売機１００に搭載されている電界通信装置１５のアンテナ２０と電界通信端末１のアンテナ９とが通信可能な状態となった時（図１に示す実施例では送受信アンテナ２０の上に顧客Ａが乗った状態の時）、商品選択ボタン１８に設けられた指紋センサ１９に指を接触させた状態で商品選択ボタン１８を押すと、自動販売機１００の主制御１０が商品の選択を検知し、押された商品選択ボタン１８に設けられた指紋センサ１９から顧客Ａの指紋情報を取得する。そして、取得した指紋情報と選択された商品の代金情報とをアンテナ２０により電界通信端末１へ送信する。
【００２１】
電界通信端末１は電界通信部２のアンテナ９によって前記自動販売機１００が取得した指紋情報と商品の代金情報を受信し、自動販売機１００が取得した指紋情報と電界通信端末１が記憶する指紋情報５とを指紋照合手段７により照合する。ここで指紋が同一であると判別した場合には支払処理手段８が、商品の代金の支払処理を実行し、電界通信部２のアンテナ９により、代金の支払に関する決済情報を送信する。
【００２２】
自動販売機１００の制御部１０は、制御部１０の備える決済処理手段２１が代金の支払に関する決済情報を受領したことを確認すると、商品選択ボタン１８によって選択された商品を、商品放出装置１４により放出（顧客へ提供）する。
【００２３】
上記の電子決済システムにおける支払処理手段８と決済処理手段２１による決済処理は、公知の電子マネー決済の方式を利用した決済処理である。
【００２４】
次に、本電子決済システムの商品販売処理についてフローを参照しながら詳細に説明する。
【００２５】
図２は、本電子決済システムの商品販売の処理フローである。図２に示す処理フローの開始前（決済開始前）の準備として、電界通信端末１は顧客Ａの人体を介して通信可能な状態で、顧客Ａに所持されているものとする。また電界通信端末１には予め顧客Ａの指紋情報と電子マネーが記憶されているものとする。また、自動販売機１００は、貨幣の投入あるいは、非接触ＩＣカードによって決済処理を行える状態で待機している。
【００２６】
このような状態において、自動販売機１００の電界通信装置１５のアンテナ２０は、常時、電界通信端末１が受信可能な範囲にあるか否かを検知する為の検知信号を送信している。（ステップ２０１）
【００２７】
ここで、電界通信端末１を所有した顧客Ａが、自動販売機１００の電界通信装置１５のアンテナ２０の上に乗ると（電界通信装置１５の通信可能範囲に入ると）、電界通信端末１は、アンテナ２０から送信された検知信号を受信する。（ステップ１０１でＹes)
【００２８】
電界通信端末１は、検知信号を受信すると、決済待ちであることを示す信号を、自動販売機１００へ送り返す。（ステップ１０２）
【００２９】
自動販売機１００は、商品選択ボタン１８が押されたことを検知すると（ステップ２０２でＹｅｓ）、次に指紋センサ１９によって指紋情報を取得する。（ステップ２０３でＹｅｓ）
【００３０】
さらに、電界通信端末１からの決済待ちであることを示す信号をアンテナ２０で受信すると（ステップ２０４でＹｅｓ)、指紋センサ１９が取得した指紋情報と、商品選択ボタン１８によって選択された商品の代金情報を送信する。（ステップ２０５）
【００３１】
電界通信端末１は、前記指紋センサ１９が取得した指紋情報と代金情報を受信すると、メモリ３に予め記憶された指紋情報５と、取得した指紋情報をを指紋照合手段７により照合する。
【００３２】
そして取得した指紋情報と、予めメモリ３に記憶され指紋情報５とが同一であると判別すると（ステップ１０３でＹｅｓ）指紋が一致したことを、自動販売機１００へ通知する。（ステップ１０４）
【００３３】
次に、支払処理手段８が代金の支払処理を実行し決済処理が完了すると（ステップ１０６でＹｅｓ)、代金の支払に関する決済情報を送信することにより支払処理完了を自動販売機へ通知する。（ステップ１０７）
【００３４】
自動販売機１００は、指紋一致の情報を受領し（ステップ２０６でＹｅｓ）さらに、代金の受領が完了すると（ステップ２０７でＹｅｓ)、代金取得完了を電界通信端末１へ通知し（ステップ２０８）、選択された商品を放出（提供）して（ステップ２０９）商品販売フローを終了する。
【００３５】
なお、ステップ１０３の指紋の照合において、指紋が同一であると判別できなかった場合（ステップ１０３でＮｏ）は指紋が同一であると判別できなかったことを自動販売機１００へ通知する。（ステップ１０５）また、ステップ１０６で電子マネーの不足によって決済処理が完了できなかった場合（ステップ１０６でＮｏ)は、電子マネー不足を通知する。（ステップ１０８）
【００３６】
また、自動販売機１００が指紋を検知できなかった場合（ステップ２０３でＮｏ）、電界通信端末１から決済待ちを示す信号検知できなかった場合（ステップ２０４でＮｏ)、指紋一致情報を受領できなかった場合（ステップ２０６でＮｏ）、あるいは商品の代金を受領できなかった場合（ステップ２０７でＮｏ）には、貨幣または非接触ＩＣカードによる代金の受入を待つ。
【００３７】
そして、貨幣または非接触ＩＣカードによって代金が受領できたら（ステップ２１０でＹｅｓ）、商品を放出（提供）して（ステップ２０９）商品販売フローを終了する。
【００３８】
一方、ステップ２１０で貨幣や非接触ＩＣカードによる代金の投入が無かった場合（ステップ２１０でＮｏ）には、商品の指定をキャンセルして販売フローを終了する。
【００３９】
なお、本実施例の電界通信端末１と自動販売機１００は互いに、自己を識別するＩＤをそれぞれ有しており、電界通信による決済の際には、この自己を識別するＩＤを併せて送信することによって、互いに通信相手を識別して通信している。
【００４０】
以上説明したように、本発明の実施例によれば、電界通信端末を所有した顧客が指で商品選択ボタンを押すだけで、決済処理が完了して商品が販売されるから、顧客が自動販売機で商品を購入する時の操作が簡単である。
さらに、指紋の照合を電界通信端末側で行なうから、電界通信端末１から顧客の指紋情報を外部へ送出することがないので、顧客の指紋情報が外部から取得されることが無い。また指紋情報が一致しないと支払い処理を実行しないから、電界通信端末に記憶された電子マネーが、勝手に取得されることも無い。よって顧客の意に反して電界通信端末に記憶された情報が取得されたり、決済されたりすることを防止することができる。
【図面の簡単な説明】
【００４１】
【図１】本発明の１実施例を示す本決済システムの概略構成図。
【図２】本発明の１実施例の商品販売の処理フロー。
【符号の説明】
【００４２】
１    電界通信端末
２    電界通信部
３    メモリ
４    制御部
５    指紋情報
６    電子マネー
７    指紋照合手段
８    支払処理手段
９    送受信アンテナ
１０  制御部
１１  硬貨処理装置
１２  紙幣処理装置
１３  ＩＣカード処理装置
１４  商品放出部
１５  電界通信装置
１６  表示部
１７  スピーカ部
１８  商品選択ボタン
１９  指紋センサ
２０  送受信アンテナ
２１  決済処理手段
１００  自動販売機
Ａ  顧客
【図１】
2010108234.tif 000003
【図２】
2010108234.tif 000004